(57)【要約】【課題】投稿者が意図する添付ファイルの要約の作成を容易にする。【解決手段】電子掲示板制御装置１−２は、端末装置１−１から投稿された記事の添付ファイルのファイル形式を判別するファイル形式判別手段１−２０３と、ファイル形式に応じた所定の単位で添付ファイルを分割し、分割した単位毎に要約情報を生成する添付ファイル分割要約情報生成手段１−２０６と、添付ファイルの要約情報の一覧を要求した端末装置に対して要約情報の一覧画面を送信する要約情報一覧出力手段１−２０８と、一覧画面の送信先である端末装置からの再投稿要求に応じて、一覧画面上で選択された要約情報を追加の添付ファイルと見なし、端末装置からの再投稿を受け付ける再投稿受付手段１−２０９とを有する。【選択図】  図１
2005044165.tif 000002
【特許請求の範囲】
【請求項１】
端末装置から通信ネットワークを介して記事と添付ファイルの投稿を受け付ける電子掲示板の制御方法において、
端末装置から投稿された記事の添付ファイルのファイル形式を判別するファイル形式判別手順と、
前記判別されたファイル形式に応じた所定の単位で前記添付ファイルを分割する添付ファイル分割手順と、
前記添付ファイルの分割された単位毎に要約情報を生成する要約情報生成手順と、
前記添付ファイルの要約情報の一覧を要求した端末装置に対して前記生成した要約情報の一覧画面を送信する要約情報一覧出力手順と、
前記一覧画面の送信先である送信先端末装置からの再投稿要求に応じて、前記一覧画面上で選択された要約情報を追加の添付ファイルと見なし、前記投稿された記事に対する前記送信先端末装置からの再投稿を受け付ける再投稿受付手順とを備えることを特徴とする電子掲示板制御方法。
【請求項２】
請求項１記載の電子掲示板制御方法において、
複数の前記要約情報のうち特定の要約情報の生成元となった添付ファイルの単位の閲覧を要求する端末装置に対してこの添付ファイルの単位の閲覧画面を送信する添付ファイル部分参照手順を備えることを特徴とする電子掲示板制御方法。
【請求項３】
端末装置から通信ネットワークを介して記事と添付ファイルの投稿を受け付ける電子掲示板の制御装置において、
端末装置から投稿された記事の添付ファイルのファイル形式を判別するファイル形式判別手段と、
前記判別されたファイル形式に応じた所定の単位で前記添付ファイルを分割する添付ファイル分割手段と、
前記添付ファイルの分割された単位毎に要約情報を生成する要約情報生成手段と、
前記添付ファイルの要約情報の一覧を要求した端末装置に対して前記生成した要約情報の一覧画面を送信する要約情報一覧出力手段と、
前記一覧画面の送信先である送信先端末装置からの再投稿要求に応じて、前記一覧画面上で選択された要約情報を追加の添付ファイルと見なし、前記投稿された記事に対する前記送信先端末装置からの再投稿を受け付ける再投稿受付手段とを有することを特徴とする電子掲示板制御装置。
【請求項４】
請求項３記載の電子掲示板制御装置において、
複数の前記要約情報のうち特定の要約情報の生成元となった添付ファイルの単位の閲覧を要求する端末装置に対してこの添付ファイルの単位の閲覧画面を送信する添付ファイル部分参照手段を有することを特徴とする電子掲示板制御装置。
【請求項５】
端末装置から通信ネットワークを介して記事と添付ファイルの投稿を受け付ける電子掲示板の制御装置としてコンピュータを動作させる電子掲示板制御プログラムであって、
端末装置から投稿された記事の添付ファイルのファイル形式を判別するファイル形式判別手順と、
前記判別されたファイル形式に応じた所定の単位で前記添付ファイルを分割する添付ファイル分割手順と、
前記添付ファイルの分割された単位毎に要約情報を生成する要約情報生成手順と、
前記添付ファイルの要約情報の一覧を要求した端末装置に対して前記生成した要約情報の一覧画面を送信する要約情報一覧出力手順と、
前記一覧画面の送信先である送信先端末装置からの再投稿要求に応じて、前記一覧画面上で選択された要約情報を追加の添付ファイルと見なし、前記投稿された記事に対する前記送信先端末装置からの再投稿を受け付ける再投稿受付手順とをコンピュータに実行させることを特徴とする電子掲示板制御プログラム。
【請求項６】
請求項５記載の電子掲示板制御プログラムにおいて、
複数の前記要約情報のうち特定の要約情報の生成元となった添付ファイルの単位の閲覧を要求する端末装置に対してこの添付ファイルの単位の閲覧画面を送信する添付ファイル部分参照手順をコンピュータに実行させることを特徴とする電子掲示板制御プログラム。
【請求項７】
請求項５または６記載の電子掲示板制御プログラムを記録したことを特徴とする記録媒体。
【発明の詳細な説明】
【技術分野】
【０００１】
本発明は、インターネットやイントラネットあるいはエクストラネット等のコンピュータネットワークを利用した情報共有、情報交換または情報管理等を行うための電子掲示板の制御方法、制御装置、プログラムおよび記録媒体に関するものである。
【背景技術】
【０００２】
従来の電子掲示板システムでは、ユーザが記事を投稿するときに任意のファイルを添付ファイルとして添付し、記事と関連付けて投稿することができた。また、投稿された記事に対して添付ファイルは文書の種別を表すアイコンや、ファイル名、画像ファイルの場合の要約情報として縮小画像をユーザに提示することができた（例えば、非特許文献１参照）。
【０００３】
一方、映像コンテンツの視聴者間での対話を支援する映像コンテンツ視聴者間コミュニケーション支援システムが提案されている（例えば、特許文献１参照）。このシステムでは、映像コンテンツの区切りである場面情報を指定する手段を持ち、映像コンテンツ中の特定の場面に対して視聴者が注釈を付けることができるため、視聴者間で特定の内容について議論することができた。
なお、出願人は、本明細書に記載した先行技術文献情報で特定される先行技術文献以外には、本発明に関連する先行技術文献を出願時までに発見するには至らなかった。
【非特許文献１】“電子掲示板システム（Bulletin Board Message Systems ）”，［online］，ＫｅｎｔＷｅｂ，ＢＢＳのコーナー，［平成１５年３月２６日検索］，インターネット＜http://www.kent-web.com/bbs/index.html＞
【特許文献１】特開２００３−８７８２６号公報
【発明の開示】
【発明が解決しようとする課題】
【０００４】
しかしながら、従来の電子掲示板システムでは、全体を代表するアイコン形式で添付ファイルを表示するため、ユーザは添付ファイルを一度ダウンロードして中身を閲覧しないと添付ファイルの中身について知ることができないという問題点があった。
さらに、従来の電子掲示板システムでは、ユーザが各添付ファイルの中身について注釈を付けるときには、注釈を付けたい部分を切り出した別の添付ファイルを作成するか、あるいは「添付ファイル１の３ページ目と添付ファイル２の７ページ目」というように注釈を付ける箇所を間接的に指定する必要があり、また複数のファイルを開いて該当の場所を参照する必要があり、途中から参加した参加者が速やかに議論に参加することが難しいという問題点があった。
【０００５】
また、特許文献１の映像コンテンツ視聴者間コミュニケーション支援システムでは、映像コンテンツの特定の場面について注釈を付けることはできたが、投稿者が特定の複数の場面を選択して自身の意図する要約を作成することはできないという問題点があった。このような要約を作成すれば、投稿者は、自身が議論したい事柄について他の視聴者から返答を得ることができる。
【０００６】
本発明は、上記課題を解決するためになされたもので、投稿された記事の添付ファイルの中身を容易に閲覧することができ、投稿者が意図する添付ファイルの要約を容易に作成することができる電子掲示板制御方法、制御装置、プログラムおよび記録媒体を提供することを目的とする。
また、本発明は、電子掲示板に途中から参加した参加者が速やかに議論に参加することを容易にする電子掲示板制御方法、制御装置、プログラムおよび記録媒体を提供することを目的とする。
【課題を解決するための手段】
【０００７】
本発明は、端末装置から通信ネットワークを介して記事と添付ファイルの投稿を受け付ける電子掲示板の制御方法において、端末装置から投稿された記事の添付ファイルのファイル形式を判別するファイル形式判別手順と、前記判別されたファイル形式に応じた所定の単位で前記添付ファイルを分割する添付ファイル分割手順と、前記添付ファイルの分割された単位毎に要約情報を生成する要約情報生成手順と、前記添付ファイルの要約情報の一覧を要求した端末装置に対して前記生成した要約情報の一覧画面を送信する要約情報一覧出力手順と、前記一覧画面の送信先である送信先端末装置からの再投稿要求に応じて、前記一覧画面上で選択された要約情報を追加の添付ファイルと見なし、前記投稿された記事に対する前記送信先端末装置からの再投稿を受け付ける再投稿受付手順とを備えるものである。
また、本発明の電子掲示板制御方法の１構成例は、複数の前記要約情報のうち特定の要約情報の生成元となった添付ファイルの単位の閲覧を要求する端末装置に対してこの添付ファイルの単位の閲覧画面を送信する添付ファイル部分参照手順を備えるものである。
【０００８】
また、本発明は、端末装置から通信ネットワークを介して記事と添付ファイルの投稿を受け付ける電子掲示板の制御装置において、端末装置から投稿された記事の添付ファイルのファイル形式を判別するファイル形式判別手段と、前記判別されたファイル形式に応じた所定の単位で前記添付ファイルを分割する添付ファイル分割手段と、前記添付ファイルの分割された単位毎に要約情報を生成する要約情報生成手段と、前記添付ファイルの要約情報の一覧を要求した端末装置に対して前記生成した要約情報の一覧画面を送信する要約情報一覧出力手段と、前記一覧画面の送信先である送信先端末装置からの再投稿要求に応じて、前記一覧画面上で選択された要約情報を追加の添付ファイルと見なし、前記投稿された記事に対する前記送信先端末装置からの再投稿を受け付ける再投稿受付手段とを有するものである。
また、本発明の電子掲示板制御装置の１構成例は、複数の前記要約情報のうち特定の要約情報の生成元となった添付ファイルの単位の閲覧を要求する端末装置に対してこの添付ファイルの単位の閲覧画面を送信する添付ファイル部分参照手段を有するものである。
【０００９】
また、本発明は、端末装置から通信ネットワークを介して記事と添付ファイルの投稿を受け付ける電子掲示板の制御装置としてコンピュータを動作させる電子掲示板制御プログラムであって、端末装置から投稿された記事の添付ファイルのファイル形式を判別するファイル形式判別手順と、前記判別されたファイル形式に応じた所定の単位で前記添付ファイルを分割する添付ファイル分割手順と、前記添付ファイルの分割された単位毎に要約情報を生成する要約情報生成手順と、前記添付ファイルの要約情報の一覧を要求した端末装置に対して前記生成した要約情報の一覧画面を送信する要約情報一覧出力手順と、前記一覧画面の送信先である送信先端末装置からの再投稿要求に応じて、前記一覧画面上で選択された要約情報を追加の添付ファイルと見なし、前記投稿された記事に対する前記送信先端末装置からの再投稿を受け付ける再投稿受付手順とをコンピュータに実行させるようにしたものである。
また、本発明の電子掲示板制御プログラムの１構成例は、複数の前記要約情報のうち特定の要約情報の生成元となった添付ファイルの単位の閲覧を要求する端末装置に対してこの添付ファイルの単位の閲覧画面を送信する添付ファイル部分参照手順をコンピュータに実行させるようにしたものである。
また、本発明の記録媒体は電子掲示板制御プログラムを記録したものである。
【発明の効果】
【００１０】
本発明によれば、端末装置から投稿された記事の添付ファイルのファイル形式を判別し、判別されたファイル形式に応じた所定の単位で添付ファイルを分割し、添付ファイルの分割された単位毎に要約情報を生成し、添付ファイルの要約情報の一覧を要求した端末装置に対して生成した要約情報の一覧画面を送信するようにしたので、電子掲示板に対して添付ファイル付の記事を投稿したユーザ本人あるいは他のユーザは、添付ファイルの中身を意味のある適当な単位毎に要約情報として一覧することができる。その結果、投稿された記事の添付ファイルの中身を従来よりも容易に閲覧することができる。また、端末装置からの再投稿要求に応じて、一覧画面上で選択された要約情報を追加の添付ファイルと見なして端末装置からの再投稿を受け付けるようにしたので、投稿者は要約情報の一覧から、自身が議論したい事柄に関連する要約情報を選択して再投稿することができ、投稿者が意図する添付ファイルの要約を容易に作成することができる。その結果、投稿者は、この要約を議論の場とすることによって他のユーザから返答を得ることができる。
【００１１】
また、複数の要約情報のうち特定の要約情報の生成元となった添付ファイルの単位の閲覧を要求する端末装置に対してこの添付ファイルの単位の閲覧画面を送信するようにしたので、後から電子掲示板に加わった参加者は議論の元になっている要約情報を閲覧することにより、その議論のあらましを知ることができ、さらに要約情報の生成元となった添付ファイルの単位を閲覧することができるので、要約情報の詳細を知ることができる。したがって、新たな参加者は元の投稿者が添付した添付ファイルの全てに目を通すことなく、必要な部分だけを参照することによって速やかに議論に参加することができる。
【発明を実施するための最良の形態】
【００１２】
［第１の実施の形態］
以下、本発明の実施の形態について図面を参照して詳細に説明する。図１は本発明の第１の実施の形態となる電子掲示板システムの構成を示すブロック図である。本実施の形態の電子掲示板システムは、電子掲示板に記事を投稿したり、電子掲示板に投稿された記事を閲覧したりするユーザの端末装置１−１と、端末装置１−１に電子掲示板の機能を提供する電子掲示板制御装置１−２と、端末装置１−１と電子掲示板制御装置１−２とを接続する通信ネットワーク１−１３とから構成される。
【００１３】
端末装置１−１は、電子掲示板制御装置１−２に記事を投稿する記事投稿手段１−１０１と、電子掲示板制御装置１−２に添付ファイルの要約情報の一覧を要求する要約情報一覧要求手段１−１０２と、電子掲示板制御装置１−２から送られた要約情報の一覧画面を表示する要約情報一覧表示手段１−１０３と、電子掲示板制御装置１−２に添付ファイルの再投稿を要求する要約情報選択・再投稿要求手段１−１０４と、電子掲示板制御装置１−２に要約情報の生成元となった添付ファイルの単位の閲覧を要求する添付ファイル部分参照要求手段１−１０５とを有する。
【００１４】
電子掲示板制御装置１−２は、通信ネットワーク１−１３を介して端末装置１−１と通信する入出力手段１−２０１と、端末装置１−１からの投稿を受信する投稿受信手段１−２０２と、記事に添付された添付ファイルのファイル形式を判別するファイル形式判別手段１−２０３と、投稿された記事を格納するための記事データベース（記事ＤＢ）１−２０４と、添付ファイルを格納するための添付ファイルデータベース（添付ファイルＤＢ）１−２０５と、ファイル形式判別手段１−２０３で判別されたファイル形式に応じた所定の単位で添付ファイルを分割し、分割した単位毎に要約情報を生成する添付ファイル分割要約情報生成手段１−２０６と、添付ファイルの要約情報を格納するための要約情報データベース（要約情報ＤＢ）１−２０７と、添付ファイルの要約情報の一覧を要求した端末装置１−１に対して要約情報の一覧画面を送信する要約情報一覧出力手段１−２０８と、要約情報の一覧画面から要約情報をユーザに取捨選択させ、ユーザが選択した要約情報を追加の添付ファイルと見なし、記事の再投稿を受け付ける再投稿受付手段１−２０９と、特定の要約情報の生成元となった添付ファイルの単位の閲覧を要求する端末装置１−１に対してこの単位の閲覧画面を送信する添付ファイル部分参照手段１−２１０とを有する。
通信ネットワーク１−１３としては、インターネット、イントラネットまたはエクストラネットなどがある。
【００１５】
以下、本実施の形態の電子掲示板システムの動作を説明する。図２はユーザが電子掲示板に記事を投稿するときの電子掲示板システムの動作を示すフローチャートである。最初に、ユーザは、電子掲示板システムに投稿する記事とこの記事に添付する添付ファイルとを端末装置１−１に入力し、入力結果を端末装置１−１の画面で閲覧する。ユーザが記事の投稿を要求すると、端末装置１−１に入力された電文（記事と添付ファイル）は、記事投稿手段１−１０１から通信ネットワーク１−１３を介して電子掲示板制御装置１−２に送られる。
【００１６】
電子掲示板制御装置１−２の入出力手段１−２０１は、端末装置１−１から通信ネットワーク１−１３を介して電文を受信し、この電文がユーザからの投稿であることを確認すると、受信した電文を投稿受信手段１−２０２に渡す。投稿受信手段１−２０２は、受信した電文から記事と添付ファイルを抽出する（図２ステップＳ２１）。続いて、投稿受信手段１−２０２は、抽出した記事に対して固有の識別子（以下、記事ＩＤと呼ぶ）を付与し、抽出した記事とこの記事に付与した記事ＩＤとを対応付けて記事ＤＢ１−２０４に格納する（ステップＳ２２）。また、投稿受信手段１−２０２は、抽出した添付ファイルに対して固有の識別子（以下、添付ファイルＩＤと呼ぶ）を付与し、記事ＩＤと抽出した添付ファイルとこの添付ファイルに付与した添付ファイルＩＤとを対応付けて添付ファイルＤＢ１−２０５に格納する（ステップＳ２３）。
【００１７】
次に、ファイル形式判別手段１−２０３は、添付ファイルＤＢ１−２０５に格納された添付ファイルの中に後述するステップＳ２５〜Ｓ２８の処理を施していない添付ファイルがあるかどうか調べ（ステップＳ２４）、未処理の添付ファイルがある場合には、この添付ファイルを処理対象としてステップＳ２５に進む。ファイル形式判別手段１−２０３は、処理対象の添付ファイルのファイル形式を判別し（ステップＳ２５）、添付ファイル分割要約情報生成手段１−２０６で分割可能なファイル形式か否かを判定する（ステップＳ２６）。ファイル形式判別手段１−２０３は、分割可能なファイル形式でない場合にはステップＳ２４に戻り次の添付ファイルを処理し、分割可能なファイル形式の場合には判別したファイル形式を示す識別子（以下、ファイル形式ＩＤと呼ぶ）を添付ファイル分割要約情報生成手段１−２０６に渡す。
【００１８】
次に、添付ファイル分割要約情報生成手段１−２０６は、処理対象の添付ファイルを後述する所定の単位に分割し、分割した単位毎に固有の識別子（以下、要約情報ＩＤと呼ぶ）を付与し、分割した単位を要約した要約情報を単位毎に生成し、また分割した単位を後から部分参照するための部分参照用情報を単位毎に生成する（ステップＳ２７）。そして、添付ファイル分割要約情報生成手段１−２０６は、記事ＩＤと添付ファイルＩＤとファイル形式ＩＤと要約情報ＩＤと要約情報と部分参照用情報とを対応付けて要約情報ＤＢ１−２０７に格納する（ステップＳ２８）。添付ファイルＤＢ１−２０５にファイル形式判別処理をしていない添付ファイルがなくなるまで（ステップＳ２４においてＮＯ）、以上のようなステップＳ２５〜Ｓ２８の処理が繰り返し行われる。
【００１９】
図３はステップＳ２７の添付ファイル分割要約情報生成処理の詳細を示すフローチャートである。まず、添付ファイル分割要約情報生成手段１−２０６は、添付ファイルを所定の単位に分割する（図３ステップＳ３１）。続いて、添付ファイル分割要約情報生成手段１−２０６は、分割した各単位の中に後述するステップＳ３３，Ｓ３４の処理を施していない単位があるかどうか調べ（ステップＳ３２）、未処理の単位を処理対象とし、処理対象の単位に要約情報ＩＤを付与し、この処理対象の単位を要約した要約情報を生成する（ステップＳ３３）。
【００２０】
続いて、添付ファイル分割要約情報生成手段１−２０６は、処理対象の単位を後から部分参照するための部分参照用情報を生成する（ステップＳ３４）。添付ファイル分割要約情報生成手段１−２０６は、分割した各単位の中に未処理の単位がなくなるまで（ステップＳ３２においてＮＯ）、以上のようなステップＳ３３，Ｓ３４の処理を繰り返し行い、未処理の単位がなくなると、ステップＳ２８に進む。
【００２１】
図４はユーザが要約情報の一覧を要求したときの電子掲示板システムの動作を示すフローチャートである。電子掲示板に投稿された記事を閲覧したいユーザが端末装置１−１から電子掲示板制御装置１−２にアクセスすると、電子掲示板制御装置１−２の入出力手段１−２０１は、端末装置１−１に記事閲覧画面を送信する。ユーザは、端末装置１−１に表示された記事閲覧画面上で所望の記事を選択し、選択した記事の要約情報の一覧を要求する。これにより、端末装置１−１の要約情報一覧要求手段１−１０２から電子掲示板制御装置１−２の要約情報一覧出力手段１−２０８に対して、ユーザが選択した記事の記事ＩＤが送信される。
【００２２】
電子掲示板制御装置１−２の要約情報一覧出力手段１−２０８は、端末装置１−１から要約情報の一覧要求を受信すると（図４ステップＳ４１）、この一覧要求に含まれる記事ＩＤを取得し、取得した記事ＩＤに対応する記事を記事ＤＢ１−２０４から取り出し（ステップＳ４２）、記事ＩＤに対応する添付ファイルと添付ファイルＩＤとを添付ファイルＤＢ１−２０５から取り出す（ステップＳ４３）。
【００２３】
次に、要約情報一覧出力手段１−２０８は、添付ファイルＤＢ１−２０５から取り出した添付ファイルの中に後述するステップＳ４５〜Ｓ４７の処理を施していない添付ファイルがあるかどうか調べ（ステップＳ４４）、未処理の添付ファイルがある場合には、この添付ファイルを処理対象としてステップＳ４５に進む。ステップＳ４５においては、処理対象の添付ファイルが分割されたファイルかどうか、すなわちこのファイルの添付ファイルＩＤに対応する要約情報が要約情報ＤＢ１−２０７に格納されているかどうか調べ、添付ファイルＩＤに対応する要約情報が要約情報ＤＢ１−２０７に格納されている場合には、添付ファイルＩＤに対応する要約情報ＩＤと要約情報とを要約情報ＤＢ１−２０７から取り出し（ステップＳ４６）、取り出した要約情報ＩＤと要約情報とを添付ファイル展開表示画面（要約情報の一覧画面）に追加する（ステップＳ４７）。また、ステップＳ４５において、処理対象の添付ファイルが分割されたファイルでない場合には、ステップＳ４４に戻り次の添付ファイルを処理する。
【００２４】
要約情報一覧出力手段１−２０８は、添付ファイルＤＢ１−２０５から取り出した添付ファイルの中に未処理のファイルがなくなるまで（ステップＳ４４においてＮＯ）、以上のようなステップＳ４５〜Ｓ４７の処理を繰り返し行い、未処理のファイルがなくなると、生成した添付ファイル展開表示画面（要約情報の一覧画面）を要求元の端末装置１−１に送信する（ステップＳ４８）。
端末装置１−１の要約情報一覧表示手段１−１０３は、電子掲示板制御装置１−２から送信された要約情報の一覧画面を表示する。こうして、ユーザは、電子掲示板に投稿された記事の添付ファイルの要約情報を閲覧することができる。
【００２５】
図５はユーザが再投稿を要求したときの電子掲示板システムの動作を示すフローチャートである。記事を投稿したユーザは、自身が投稿した記事の要約情報の一覧画面を見ながら端末装置１−１を操作して所望の要約情報を選択し、再投稿を要求する。これにより、端末装置１−１の要約情報選択・再投稿要求手段１−１０４は、この要約情報の生成元となった添付ファイルに対応する記事の記事ＩＤと選択された要約情報の要約情報ＩＤとを含む再投稿要求を電子掲示板制御装置１−２に送信する。
【００２６】
電子掲示板制御装置１−２の再投稿受付手段１−２０９は、端末装置１−１から再投稿要求を受信すると（図５ステップＳ５１）、この再投稿要求に含まれる記事ＩＤと要約情報ＩＤとを抽出する（ステップＳ５２）。続いて、再投稿受付手段１−２０９は、抽出した要約情報ＩＤに対応する要約情報を要約情報ＤＢ１−２０７から取り出す（ステップＳ５３）。そして、再投稿受付手段１−２０９は、要約情報ＤＢ１−２０７から取り出した要約情報、すなわち端末装置１−１のユーザが選択した要約情報を追加の添付ファイルと見なし、この追加の添付ファイルを再投稿要求から抽出した記事ＩＤおよび要約情報ＩＤと対応付けて添付ファイルＤＢ１−２０５に格納する（ステップＳ５４）。再投稿受付手段１−２０９は、再投稿要求から抽出した要約情報ＩＤの中に未処理のＩＤがなくなるまで（ステップＳ５５においてＮＯ）、以上のようなステップＳ５３，Ｓ５４の処理を繰り返し行い、未処理の要約情報ＩＤがなくなると、再投稿受付処理を終了する。
【００２７】
図６はユーザが要約情報の生成元となった添付ファイルの単位の閲覧を要求したときの電子掲示板システムの動作を示すフローチャートである。
再投稿後にユーザが端末装置１−１から電子掲示板制御装置１−２にアクセスすると、電子掲示板制御装置１−２の入出力手段１−２０１は、端末装置１−１に記事閲覧画面を送信する。この再投稿後の記事閲覧画面には、追加の添付ファイル（要約情報）が表示される。記事を投稿したユーザあるいは別のユーザが記事閲覧画面上で所望の要約情報を選択すると、端末装置１−１の添付ファイル部分参照要求手段１−１０５は、選択された要約情報の要約情報ＩＤを含む部分参照要求（添付ファイルの単位の閲覧要求）を電子掲示板制御装置１−２に送信する。
【００２８】
電子掲示板制御装置１−２の添付ファイル部分参照手段１−２１０は、端末装置１−１から部分参照要求を受信すると、この部分参照要求から要約情報ＩＤを抽出する（ステップＳ６１）。続いて、添付ファイル部分参照手段１−２１０は、抽出した要約情報ＩＤに対応する部分参照用情報を要約情報ＤＢ１−２０７から抽出する（ステップＳ６２）。そして、添付ファイル部分参照手段１−２１０は、この部分参照用情報に対応する添付ファイルの単位を添付ファイルＤＢ１−２０５から取り出し、取り出した単位を配置した部分参照画面（添付ファイルの単位の閲覧画面）を生成し、生成した部分参照画面を要求元の端末装置１−１に送信する（ステップＳ６３）。こうして、ユーザは、要約情報の生成元となった添付ファイルの単位を閲覧することができる。
【００２９】
［第２の実施の形態］
次に、本発明の第２の実施の形態について説明する。図７は本発明の第２の実施の形態となる電子掲示板システムの構成を示すブロック図である。本実施の形態は、第１の実施の形態の具体例を示すものである。
【００３０】
電子掲示板制御装置１−２は、通信ネットワーク１−１３を介して端末装置１−１と通信する入出力部１−３と、端末装置１−１からの投稿を受信する投稿受信部１−４と、投稿された記事から添付ファイルを取り出す添付ファイル抽出部１−５と、添付ファイル抽出部１−５によって取り出された添付ファイルのファイル形式を判別するファイル形式判別部１−６と、記事ＤＢ１−７と、添付ファイルＤＢ１−８と、添付ファイルの要約情報の一覧を端末装置１−１に送信し、端末装置１−１からの再投稿を受け付け、部分参照画面を端末装置１−１に送信する要約情報表示／再投稿部１−９と、添付ファイルの分割を制御するファイル解析制御部１−１０と、添付ファイルを分割して、分割した単位毎に要約情報を生成する添付ファイル分割部１−１１と、要約情報ＤＢ１−１２とを有する。
【００３１】
添付ファイル分割部１−１１は、本実施の形態の電子掲示板システムで扱うファイル形式の種類の数だけ存在する。
入出力部１−３は第１の実施の形態の入出力手段１−２０１に相当し、投稿受信部１−４および添付ファイル抽出部１−５は投稿受信手段１−２０２に相当し、ファイル形式判別部１−６はファイル形式判別手段１−２０３に相当し、記事ＤＢ１−７は記事ＤＢ１−２０４に相当し、添付ファイルＤＢ１−８は添付ファイルＤＢ１−２０５に相当し、要約情報表示／再投稿部１−９は要約情報一覧出力手段１−２０８、再投稿受付手段１−２０９および添付ファイル部分参照手段１−２１０に相当し、ファイル解析制御部１−１０および添付ファイル分割部１−１１は添付ファイル分割要約情報生成手段１−２０６に相当し、要約情報ＤＢ１−１２は要約情報ＤＢ１−２０７に相当する。
【００３２】
以下、本実施の形態の電子掲示板システムの動作について説明する。最初に、ユーザは、電子掲示板システムに投稿する記事とこの記事に添付する添付ファイルとを端末装置１−１に入力し、入力結果を端末装置１−１の画面で閲覧する。ユーザが記事の投稿を要求すると、端末装置１−１に入力された電文（記事と添付ファイル）は、通信ネットワーク１−１３を介して電子掲示板制御装置１−２に送られる。
【００３３】
電子掲示板制御装置１−２の入出力部１−３は、端末装置１−１から通信ネットワーク１−１３を介して電文を受信し、この電文がユーザからの投稿であることを確認すると、受信した電文を投稿受信部１−４に渡す。投稿受信部１−４は、受信した電文中の記事に対して記事ＩＤを付与する。投稿受信部１−４は、受信した電文中に添付ファイルがある場合、添付ファイル抽出部１−５によって電文中から添付ファイルを抽出し、抽出した添付ファイルに添付ファイルＩＤを付与し、抽出した添付ファイルをファイル形式判別部１−６に渡す。また、投稿受信部１−４は、記事本文と、この記事に付与した記事ＩＤと、投稿時間と、投稿者など、電子掲示板にかかわる情報を記事ＤＢ１−７に格納する。
【００３４】
ファイル形式判別部１−６は、投稿受信部１−４から渡された添付ファイルのファイル形式を判別すると共に、添付ファイル分割部１−１１で分割可能なファイル形式か否かを判定し、判別したファイル形式を示す識別子（以下、ファイル形式ＩＤと呼ぶ）を投稿受信部１−４に返すと共に、分割可能なファイル形式である場合、対応する添付ファイル分割部１−１１のＩＤを投稿受信部１−４に返す。
【００３５】
投稿受信部１−４は、前記記事ＩＤと、添付ファイルと、この添付ファイルに付与した添付ファイルＩＤと、ファイル形式判別部１−６から渡されたファイル形式ＩＤとを対応付けて添付ファイルＤＢ１−８に格納する。そして、投稿受信部１−４は、添付ファイルが添付ファイル分割部１−１１で分割可能なファイル形式であると判定された場合、添付ファイルＤＢ１−８に格納した記事ＩＤと添付ファイルＩＤとファイル形式ＩＤと添付ファイルとをファイル解析制御部１−１０に渡す。
【００３６】
ファイル解析制御部１−１０は、投稿受信部１−４から渡された添付ファイルのファイル形式をファイル形式ＩＤに応じて判別し、複数の添付ファイル分割部１−１１のうち判別したファイル形式に対応する添付ファイル分割部１−１１に添付ファイルを渡す。
ファイル解析制御部１−１０から添付ファイルを渡された添付ファイル分割部１−１１は、添付ファイルを後述する所定の単位に分割し、分割した単位毎に要約情報ＩＤを付与し、分割した単位を要約した要約情報を単位毎に生成し、また分割した単位を後から部分参照するための部分参照用情報を単位毎に生成し、生成した要約情報ＩＤと要約情報と部分参照用情報とをファイル解析制御部１−１０に渡す。
【００３７】
ファイル解析制御部１−１０は、投稿受信部１−４から渡された記事ＩＤと添付ファイルＩＤとファイル形式ＩＤと、添付ファイル分割部１−１１から渡された要約情報ＩＤと要約情報と部分参照用情報とを対応付けて要約情報ＤＢ１−１２に格納する。
【００３８】
電子掲示板に投稿された記事を閲覧したいユーザが端末装置１−１から電子掲示板制御装置１−２にアクセスすると、電子掲示板制御装置１−２の入出力部１−３は、端末装置１−１に記事閲覧画面を送信する。ユーザは、端末装置１−１に表示された記事閲覧画面上で所望の記事を選択し、選択した記事の要約情報の一覧を要求する。
【００３９】
電子掲示板制御装置１−２の要約情報表示／再投稿部１−９は、端末装置１−１から要約情報の一覧要求を受信すると、この一覧要求に含まれる記事ＩＤを取得し、取得した記事ＩＤに対応する添付ファイルが添付ファイルＤＢ１−８に格納されている場合には、この添付ファイルに対応する添付ファイルＩＤを添付ファイルＤＢ１−８から取り出す。さらに、要約情報表示／再投稿部１−９は、添付ファイルＤＢ１−８から取り出した添付ファイルＩＤに対応する要約情報が要約情報ＤＢ１−１２に格納されている場合には、要約情報を要約情報ＤＢ１−１２から取り出し、取り出した要約情報を配置した添付ファイル展開表示画面（要約情報の一覧画面）を生成して、要求元の端末装置１−１に送信する。
【００４０】
記事を投稿したユーザが要約情報の一覧画面を見ながら所望の要約情報を選択し、再投稿を要求すると、端末装置１−１から再投稿要求が送信される。電子掲示板制御装置１−２の要約情報表示／再投稿部１−９は、端末装置１−１から再投稿要求を受信すると、この再投稿要求に含まれる記事ＩＤと要約情報ＩＤとを抽出し、抽出した要約情報ＩＤに対応する要約情報を要約情報ＤＢ１−１２から取り出す。そして、要約情報表示／再投稿部１−９は、要約情報ＤＢ１−１２から取り出した要約情報を追加の添付ファイルと見なし、この追加の添付ファイルを再投稿要求から抽出した記事ＩＤおよび要約情報ＩＤと対応付けて添付ファイルＤＢ１−８に格納する。こうして、ユーザは、要約情報の一覧画面を見ながら任意の要約情報を選択して再投稿することができる。
【００４１】
再投稿後にユーザが端末装置１−１から電子掲示板制御装置１−２にアクセスすると、電子掲示板制御装置１−２の入出力部１−３は、端末装置１−１に記事閲覧画面を送信する。この再投稿後の記事閲覧画面には、追加の添付ファイル（要約情報）が表示される。記事を投稿したユーザあるいは別のユーザが記事閲覧画面上で所望の要約情報を選択すると、端末装置１−１から部分参照要求が送信される。
【００４２】
電子掲示板制御装置１−２の要約情報表示／再投稿部１−９は、端末装置１−１から部分参照要求を受信すると、この部分参照要求から要約情報ＩＤを抽出し、この要約情報ＩＤに対応する部分参照用情報を要約情報ＤＢ１−１２から抽出し、この部分参照用情報に対応する添付ファイルの単位を添付ファイルＤＢ１−８から取り出す。そして、要約情報表示／再投稿部１−９は、取り出した単位を配置した部分参照画面（添付ファイルの単位の閲覧画面）を生成し、生成した部分参照画面を要求元の端末装置１−１に送信する。こうして、ユーザは、電子掲示板制御装置１−２にアクセスすることにより、要約情報とこの要約情報の生成元となった添付ファイルの単位を閲覧することができる。
【００４３】
［第３の実施の形態］
次に、本発明の第３の実施の形態について説明する。図８は本発明の第３の実施の形態となる電子掲示板システムの構成を示すブロック図であり、図７と同一の構成には同一の符号を付してある。本実施の形態は、第２の実施の形態のより具体的な例である。
【００４４】
図８の例では、端末装置１−１は、通信ネットワーク１−１３に接続してＷｅｂページを表示するＷｅｂブラウザ機能を備え、入出力部１−３としては、ＷＷＷ（World Wide Web）サーバを用いている。添付ファイル分割部１−１１は、動画ファイル分割部１−１１ａと、プレゼン（スライド）ファイル分割部１−１１ｂと、音声ファイル分割部１−１１ｃと、ＣＡＤファイル分割部１−１１ｄと、ワープロファイル分割部１−１１ｅと、表計算ファイル分割部１−１１ｆとから構成される。
【００４５】
以下、図８の具体例で電子掲示板システムの動作を説明する。まず、ユーザは、電子掲示板システムに投稿する記事を端末装置１−１に入力すると共に、記事に添付する添付ファイルとして動画像ファイルとプレゼン（スライド）ファイルとを入力する。ユーザが記事の投稿を要求すると、端末装置１−１に入力された電文（記事と添付ファイル）は、端末装置１−１から通信ネットワーク１−１３を介して電子掲示板制御装置１−２に送られる。
【００４６】
電子掲示板制御装置１−２の投稿受信部１−４は、受信した電文から記事を抽出して記事ＩＤを付与すると共に、添付ファイル抽出部１−５によって電文から添付ファイルを抽出して添付ファイルＩＤを付与する。
ファイル形式判別部１−６は、投稿受信部１−４から渡された添付ファイルのファイル形式を判別し、判別したファイル形式を示すファイル形式ＩＤを投稿受信部１−４に返す。ここでは、動画像ファイルを示すファイル形式ＩＤとプレゼン（スライド）ファイルを示すファイル形式ＩＤとが返却される。
【００４７】
投稿受信部１−４は、添付ファイルが分割可能なファイル形式であると判定された場合、記事ＩＤと添付ファイルＩＤとファイル形式ＩＤと添付ファイルとをファイル解析制御部１−１０に渡す。
ファイル解析制御部１−１０は、投稿受信部１−４から渡された添付ファイルのファイル形式をファイル形式ＩＤに応じて判別し、複数の添付ファイル分割部１−１１のうち判別したファイル形式に対応する添付ファイル分割部１−１１に添付ファイルを渡す。ここでは、ファイル解析制御部１−１０は、動画像ファイルを動画ファイル分割部１−１１ａに渡し、プレゼン（スライド）ファイルをプレゼンファイル分割部１−１１ｂに渡す。
【００４８】
動画ファイル分割部１−１１ａは、動画像ファイルを所定の単位毎、例えば動画像の場面の変化点（カット点）毎、文字が現れた場面（テロップ）毎、カメラの動き（カメラワーク）の変化点毎、音楽や音声の変化点毎に分割し、分割した単位毎に要約情報ＩＤを付与し、分割した各単位の要約情報として各単位の先頭フレーム画像からサムネイル画像を単位毎に抽出し、分割した単位を後から部分参照するための部分参照用情報を単位毎に生成し、要約情報ＩＤと要約情報（サムネイル画像）と部分参照用情報とをファイル解析制御部１−１０に渡す。なお、動画ファイル分割部１−１１ａについては、例えば特許第２８３９１３２号公報、特開平９−２３８２９８号公報あるいは特開平１１−１７８００７号公報に記載されている。
【００４９】
プレゼンファイル分割部１−１１ｂは、プレゼン（スライド）ファイルを所定の単位毎、例えば各スライド毎に分割し、分割した単位毎に要約情報ＩＤを付与し、分割した各単位の要約情報として各スライドの縮小画像とスライドのタイトル文字列とをスライド毎に抽出し、分割した単位を後から部分参照するための部分参照用情報をスライド毎に生成し、要約情報ＩＤと要約情報（縮小画像およびタイトル文字列）と部分参照用情報とをファイル解析制御部１−１０に渡す。
【００５０】
図９は投稿時に端末装置１−１に表示される投稿画面の例を示す図である。電子掲示板に記事を投稿したいユーザが端末装置１−１から電子掲示板制御装置１−２にアクセスすると、電子掲示板制御装置１−２の入出力部１−３は、端末装置１−１に図９のような投稿画面１０１を送信する。
【００５１】
ユーザは、端末装置１−１を操作して、投稿画面１０１上で自身の氏名（投稿者名）１０２と投稿のタイトル１０３と記事本文１０４とを入力すると共に、添付ファイルを指定する。添付ファイルは、投稿画面１０１上で「参照」と表示されたボタン１０５をクリックすることにより、端末装置１−１の記憶装置に格納されているファイルの中から指定することができる。投稿画面１０１上にはユーザが指定した添付ファイルのファイル名１０６が表示される。図９の例では、動画像ファイル「結婚式．ｍｐｇ」とプレゼン（スライド）ファイル「プログラムスライド．ｐｐｔ」とが添付ファイルとして添付されている。そして、ユーザが投稿画面１０１上で「投稿」と表示されたボタン１０７をクリックすると、ユーザが記事の投稿を要求したことになり、投稿者名とタイトルと記事本文と添付ファイルとが端末装置１−１から電子掲示板制御装置１−２に送られる。
【００５２】
図１０は記事閲覧時に端末装置１−１に表示される記事閲覧画面の例を示す図である。電子掲示板に投稿された記事を閲覧したいユーザが端末装置１−１から電子掲示板制御装置１−２にアクセスすると、電子掲示板制御装置１−２の入出力部１−３は、端末装置１−１に図１０のような記事閲覧画面２０１を送信する。記事閲覧画面２０１上では、記事のタイトル２０２と記事本文２０３とが表示されると共に、添付ファイルがアイコン２０４とファイル名２０５の形で表示される。
【００５３】
ユーザが端末装置１−１を操作して記事閲覧画面２０１上で「展開表示」と表示されたボタン２０６をクリックすると、ユーザが要約情報の一覧を要求したことになり、電子掲示板制御装置１−２の要約情報表示／再投稿部１−９は、要約情報の一覧要求に含まれる記事ＩＤを取得し、この記事ＩＤに対応する添付ファイルＩＤを添付ファイルＤＢ１−８から取り出す。続いて、要約情報表示／再投稿部１−９は、この添付ファイルＩＤに対応する要約情報を要約情報ＤＢ１−１２から取り出し、取り出した要約情報を配置した添付ファイル展開表示画面（要約情報の一覧画面）を生成し、この添付ファイル展開表示画面を要求元の端末装置１−１に送信する。
【００５４】
図１１は添付ファイル展開時に端末装置１−１に表示される添付ファイル展開表示画面の例を示す図である。添付ファイル展開表示画面３０１には、ユーザが選択した記事のタイトル３０２と、記事本文３０３と、添付ファイルのアイコン３０４と、添付ファイルのファイル名３０５と、添付ファイルを分割した各単位の要約情報３０６とが表示される。
【００５５】
ユーザが端末装置１−１を操作して、要約情報３０６の左横のチェックボックス３０８をオンにすると、この要約情報３０６を選択したことになり、要約情報３０６の選択後に「投稿」と表示されたボタン３０９をクリックすると、ユーザが再投稿を要求したことになり、選択された要約情報３０６の要約情報ＩＤを含む再投稿要求が端末装置１−１から電子掲示板制御装置１−２に送られる。
【００５６】
電子掲示板制御装置１−２の要約情報表示／再投稿部１−９は、再投稿要求に含まれる要約情報ＩＤを抽出し、抽出した要約情報ＩＤに対応する要約情報を要約情報ＤＢ１−１２から取り出す。そして、要約情報表示／再投稿部１−９は、要約情報ＤＢ１−１２から取り出した要約情報を追加の添付ファイルと見なし、この追加の添付ファイルを再投稿要求から抽出した記事ＩＤおよび要約情報ＩＤと対応付けて添付ファイルＤＢ１−８に格納する。なお、端末装置１−１から再投稿されるのは、再投稿の有無を示すチェックボックス３０８がオン（すなわち、再投稿有り）になっている要約情報３０６である。したがって、複数のチェックボックス３０８がオンになっている場合には、複数の要約情報３０６が順次送信されることになる。
【００５７】
図１２は再投稿後に端末装置１−１に表示される記事閲覧画面の例を示す図である。再投稿後にユーザが端末装置１−１から電子掲示板制御装置１−２にアクセスすると、電子掲示板制御装置１−２の入出力部１−３は、端末装置１−１に図１２のような記事閲覧画面２０１ａを送信する。記事閲覧画面２０１ａには、記事のタイトル２０２と記事本文２０３と添付ファイルのアイコン２０４と添付ファイルのファイル名２０５とが表示されると共に、再投稿された追加の添付ファイル（要約情報）２０７が表示される。
【００５８】
以上の動作では、添付ファイルが動画像ファイルまたはプレゼン（スライド）ファイルの場合について説明したが、添付ファイルが音声ファイルの場合、ファイル解析制御部１−１０は、投稿受信部１−４から渡された音声ファイルを音声ファイル分割部１−１１ｃに渡す。音声ファイル分割部１−１１ｃは、音声ファイルを所定の単位毎、例えば無音部分毎または一定時間毎に分割し、分割した音声ファイルそのものを各単位の要約情報とする。なお、音声ファイルの場合には、要約情報、すなわち分割した音声ファイルを表すアイコンが記事閲覧画面あるいは添付ファイル展開表示画面で表示され、このアイコンがユーザによって選択されたときに、要約情報が電子掲示板制御装置１−２から送信されて端末装置１−１で再生されるようにすればよい。
【００５９】
添付ファイルがＣＡＤファイルの場合、ファイル解析制御部１−１０は、ＣＡＤファイルをＣＡＤファイル分割部１−１１ｄに渡す。
ＣＡＤファイル分割部１−１１ｄは、ＣＡＤファイルを所定の単位毎、例えば図面毎に分割し、分割した各単位の要約情報として各図面の縮小画像と図面のタイトルとを抽出する。
【００６０】
添付ファイルがワープロファイルの場合、ファイル解析制御部１−１０は、ワープロファイルをワープロファイル分割部１−１１ｅに渡す。
ワープロファイル分割部１−１１ｅは、ワープロファイルを所定の単位毎、例えば章毎に分割し、分割した各単位の要約情報として各章の見出しを抽出する。
【００６１】
添付ファイルが表計算ファイルの場合、ファイル解析制御部１−１０は、表計算ファイルを表計算ファイル分割部１−１１ｆに渡す。
表計算ファイル分割部１−１１ｆは、表計算ファイルを所定の単位毎、例えばシート毎に分割し、分割した各単位の要約情報として各シートの縮小画像とシートのタイトルとを抽出する。
【００６２】
なお、本実施の形態の電子掲示板制御装置１−２の構成はコンピュータで実現することができる。このコンピュータは、中央処理装置（ＣＰＵ）と、リードオンリメモリ（ＲＯＭ）と、ランダムアクセスメモリ（ＲＡＭ）と、フレキシブルディスク装置等の補助記憶装置と、ハードディスク装置等の大容量の外部記憶装置と、表示装置やキーボード、補助記憶装置、外部記憶装置および通信ネットワーク１−１３とのインタフェースをとるための回路などを備えた周知の構成のものでよい。
【００６３】
コンピュータを電子掲示板制御装置１−２として機能させるための電子掲示板制御プログラムは、フレキシブルディスク、ＣＤ−ＲＯＭ、メモリカード等の記録媒体に記録された状態で提供される。この記録媒体をコンピュータの補助記憶装置に挿入すると、媒体に記録されたプログラムが読み取られる。そして、ＣＰＵは、読み込んだプログラムをＲＡＭあるいは外部記憶装置に書き込み、このプログラムに従って第１〜第３の実施の形態で説明したような処理を実行する。
【産業上の利用可能性】
【００６４】
本発明は、コンピュータネットワークを利用した情報共有、情報交換または情報管理等に適用できる。
【図面の簡単な説明】
【００６５】
【図１】本発明の第１の実施の形態となる電子掲示板システムの構成を示すブロック図である。
【図２】本発明の第１の実施の形態においてユーザが電子掲示板に記事を投稿するときの電子掲示板システムの動作を示すフローチャートである。
【図３】本発明の第１の実施の形態における添付ファイル分割要約情報生成処理の詳細を示すフローチャートである。
【図４】本発明の第１の実施の形態においてユーザが要約情報の一覧を要求したときの電子掲示板システムの動作を示すフローチャートである。
【図５】本発明の第１の実施の形態においてユーザが再投稿を要求したときの電子掲示板システムの動作を示すフローチャートである。
【図６】本発明の第１の実施の形態においてユーザが要約情報の生成元となった添付ファイルの単位の閲覧を要求したときの電子掲示板システムの動作を示すフローチャートである。
【図７】本発明の第２の実施の形態となる電子掲示板システムの構成を示すブロック図である。
【図８】本発明の第３の実施の形態となる電子掲示板システムの構成を示すブロック図である。
【図９】本発明の第３の実施の形態における投稿画面の例を示す図である。
【図１０】本発明の第３の実施の形態における記事閲覧画面の例を示す図である。
【図１１】本発明の第３の実施の形態における添付ファイル展開表示画面の例を示す図である。
【図１２】本発明の第３の実施の形態における再投稿後の記事閲覧画面の例を示す図である。
【符号の説明】
【００６６】
１−１…端末装置、１−２…電子掲示板制御装置、１−３…入出力部、１−４…投稿受信部、１−５…添付ファイル抽出部、１−６…ファイル形式判別部、１−７…記事データベース、１−８…添付ファイルデータベース、１−９…要約情報表示／再投稿部、１−１０…ファイル解析制御部、１−１１…添付ファイル分割部、１−１２…要約情報データベース、１−１３…通信ネットワーク、１−１０１…記事投稿手段、１−１０２…要約情報一覧要求手段、１−１０３…要約情報一覧表示手段、１−１０４…要約情報選択・再投稿要求手段、１−１０５…添付ファイル部分参照要求手段、１−２０１…入出力手段、１−２０２…投稿受信手段、１−２０３…ファイル形式判別手段、１−２０４…記事データベース、１−２０５…添付ファイルデータベース、１−２０６…添付ファイル分割要約情報生成手段、１−２０７…要約情報データベース、１−２０８…要約情報一覧出力手段、１−２０９…再投稿受付手段、１−２１０…添付ファイル部分参照手段。
【図１】
2005044165.tif 000003
【図２】
2005044165.tif 000004
【図３】
2005044165.tif 000005
【図４】
2005044165.tif 000006
【図５】
2005044165.tif 000007
【図６】
2005044165.tif 000008
【図７】
2005044165.tif 000009
【図８】
2005044165.tif 000010
【図９】
2005044165.tif 000011
【図１０】
2005044165.tif 000012
【図１１】
2005044165.tif 000013
【図１２】
2005044165.tif 000014